(57)【要約】【課題】内蔵するＬＥＤ照明ユニットの形状や大きさに自由度を持たせることが可能なＬＥＤ照明を備えるハニカムパネルを提供すること。【解決手段】一対の面板１ａ，１ｂとこれら面板１ａ，１ｂ間に枠材２及びコア材６が配置固定されたハニカムパネルにおいて、面板１ａ，１ｂ間の空間にコア材６を配置しない区画部７を設け、区画部７に位置する一方の面板１ａのパネル内側面に台座１０を接合すると共に、区画部７に位置する他方の面板１ｂに貫通孔８を設け、台座１０上にＬＥＤ照明ユニット２０を固定して、区画部７内にＬＥＤ照明ユニット２０を組み込む。【選択図】  図２
2011171266.tif 000002
【特許請求の範囲】
【請求項１】
一対の面板とこれら面板間に枠材及びコア材が配置固定されたハニカムパネルにおいて、
上記面板間の空間に上記コア材を配置しない区画部を設け、
上記区画部に位置する一方の上記面板のパネル内側面に台座を接合すると共に、上記区画部に位置する他方の面板に貫通孔を設け、
上記台座上にＬＥＤ照明ユニットを固定してなる、
ことを特徴とするＬＥＤ照明を備えるハニカムパネル。
【請求項２】
上記区画部は上記枠材によって形成されている、
ことを特徴とする請求項１記載のＬＥＤ照明を備えるハニカムパネル。
【請求項３】
一対の面板とこれら面板間に枠材及びコア材が配置固定されたハニカムパネルにおいて、
上記面板間に上記コア材を配置しない区画部を上記枠材によって形成すると共に、上記枠材に台座を固定し、
上記区画部に位置する上記面板に貫通孔を設け、
上記台座上にＬＥＤ照明ユニットを固定してなる、
ことを特徴とするＬＥＤ照明を備えるハニカムパネル。
【請求項４】
上記台座は、上記面板の内側面及び上記枠材に当接されると共に、枠材に固定される当接部と、該当接部に接合される、上記ＬＥＤ照明ユニットを固定するための固定部とからなる、
ことを特徴とする請求項３記載のＬＥＤ照明を備えるハニカムパネル。
【請求項５】
上記一対の面板とこれら面板間に配置される上記枠材及びコア材がろう付けによって固定されている、
ことを特徴とする請求項１又は３に記載のＬＥＤ照明を備えるハニカムパネル。
【請求項６】
上記一対の面板とこれら面板間に配置される上記枠材及びコア材が接着によって固定されている、
ことを特徴とする請求項１又は３に記載のＬＥＤ照明を備えるハニカムパネル。
【発明の詳細な説明】
【技術分野】
【０００１】
この発明は、ＬＥＤ照明を備えるハニカムパネルに関するものである。
【背景技術】
【０００２】
従来、建物の側面に設ける庇や屋外に設置されるシェルターの屋根として、軽量で強度、耐候性に優れたろう付けハニカムパネルが用いられている。このような屋根には、使用する人の利便性のため、下面に照明を設ける場合がある。
【０００３】
例えば、庇を構成するろう付けハニカムパネル内にＬＥＤ照明を内蔵させることで、庇の外観を損ねることなく庇に照明機能を付与している（例えば、特許文献１参照）。
【先行技術文献】
【特許文献】
【０００４】
【特許文献１】特開２００６−３２８９３６号公報（特許請求の範囲、図２）
【発明の概要】
【発明が解決しようとする課題】
【０００５】
しかしながら、特許文献１記載の構造では、ハニカムパネルを構成する枠材に予め補強部材を付設すると共に、該補強部材にＬＥＤ照明ユニットの収容部を一体とし、さらに補強部材及び収容部がハニカムパネル本体と一体となっているため、配置可能なＬＥＤ照明ユニットの大きさ及び形状に制限がある。したがって、使用目的に応じた光量を有するＬＥＤ照明ユニットをハニカムパネルに内蔵することができない懸念があった。
【０００６】
この発明は上記事情に鑑みなされたもので、内蔵するＬＥＤ照明ユニットの形状や大きさに自由度を持たせることが可能なＬＥＤ照明を備えるハニカムパネルを提供する。
【課題を解決するための手段】
【０００７】
上記課題を解決するために、第１の発明は、一対の面板とこれら面板間に枠材及びコア材が配置固定されたハニカムパネルにおいて、上記面板間の空間に上記コア材を配置しない区画部を設け、上記区画部に位置する一方の上記面板のパネル内側面に台座を接合すると共に、上記区画部に位置する他方の面板に貫通孔を設け、上記台座上にＬＥＤ照明ユニットを固定してなる、ことを特徴とする。
【０００８】
このように構成することにより、ハニカムパネル内に予めＬＥＤ照明ユニットを内蔵するための区画部と、ＬＥＤ照明ユニットを固定するための台座を設けることができ、ＬＥＤ照明ユニットを配置する空間を任意の位置にかつ任意の大きさに設けることができる。特に、ＬＥＤ照明ユニットの形状を例えば円形や矩形等任意の形状にすることができる。また、ＬＥＤ照明ユニットを構成するＬＥＤ照明単体の数を任意の数にすることができ、各区画部によってＬＥＤ照明単体の数を変えることによって照射光量に変化を持たせることができる。
【０００９】
第１の発明において、上記区画部は上記枠材によって形成されている方が好ましい。
【００１０】
このように構成することにより、ＬＥＤ照明ユニットを内蔵するための区画部を枠材によって規定することができる。
【００１１】
また、第２の発明は、一対の面板とこれら面板間に枠材及びコア材が配置固定されたハニカムパネルにおいて、上記面板間に上記コア材を配置しない区画部を上記枠材によって形成すると共に、上記枠材に台座を固定し、上記区画部に位置する上記面板に貫通孔を設け、上記台座上にＬＥＤ照明ユニットを固定してなる、ことを特徴とする。
【００１２】
このように構成することにより、ハニカムパネル内に予めハニカムパネルを構成する枠材によってＬＥＤ照明ユニットを内蔵するための区画部を形成すると共に、枠材にＬＥＤ照明ユニットを固定するための台座を設けることができ、ＬＥＤ照明ユニットを配置する空間を任意の位置にかつ任意の大きさに設けることができる。
【００１３】
第２の発明において、上記台座を、上記面板の内側面及び上記枠材に当接されると共に、枠材に固定される当接部と、該当接部に接合される、上記ＬＥＤ照明ユニットを固定するための固定部とで構成する方が好ましい。
【００１４】
このように構成することにより、台座は、面板に直接固定されない当接部と、該当接部に接合されるＬＥＤ照明ユニットを固定するための固定部とからなるので、ＬＥＤ照明ユニットの固定を容易かつ強固にすることができる。
【００１５】
また、この発明において、上記一対の面板とこれら面板間に配置される上記枠材及びコア材を固定するには、ろう付けによって固定するか、あるいは、接着によって固定する方がよい。
【００１６】
面板と枠材及びコア材をろう付けによって固定することにより、面板の溶接や曲げが可能となるため、パネルの大きさや形状に自由度を持たせることができる。
【００１７】
面板と枠材及びコア材を接着によって固定することにより、面板の平滑性が維持できるので、外観が優れる。また、台座を枠材に固定する場合は、台座と面板が直接接合されることがないので、台座による変形を防ぎ、外観を良好にすることができる。
【発明の効果】
【００１８】
この発明によれば、上記のように構成されているので、以下のような顕著な効果が得られる。
【００１９】
ハニカムパネルに予めＬＥＤ照明ユニットを配置する空間を任意の位置にかつ任意の大きさに設けることができるので、ＬＥＤ照明ユニットの形状や大きさに自由度を持たせることができる。
【００２０】
また、ハニカムパネル内に予めＬＥＤ照明ユニットを内蔵するための区画部と、ＬＥＤ照明ユニットを固定するための台座を設けることにより、ＬＥＤ照明ユニットの設置が容易となる。この場合、区画部を枠材によって形成し、ＬＥＤ照明ユニットを内蔵するための区画部を枠材によって規定することにより、区画部の確保が容易となり、かつコア材を配置しないことによる区画部の空間の強度低下を防止することができる。
【００２１】
また、ハニカムパネル内に予めハニカムパネルを構成する枠材によってＬＥＤ照明ユニットを内蔵するための区画部を形成すると共に、枠材にＬＥＤ照明ユニットを固定するための台座を設けることにより、区画部の確保が容易となり、かつ台座を面板に直接固定（接合）することなく、枠材に固定することができるので、ハニカムパネル特に面板の変形を抑制することができる。この場合、台座を、面板に直接固定されない当接部と、該当接部に接合されるＬＥＤ照明ユニットを固定するための固定部とで構成することにより、ＬＥＤ照明ユニットの固定を容易かつ強固にすることができる。
【００２２】
また、面板と枠材及びコア材をろう付けによって固定することにより、面板の溶接や曲げが可能となるため、パネルの大きさや形状に自由度を持たせることができる。
【００２３】
また、面板と枠材及びコア材を接着によって固定することにより、面板の平滑性が維持できるので、外観が優れる。
【図面の簡単な説明】
【００２４】
【図１】この発明に係るＬＥＤ照明を備えるハニカムパネルの使用状態の一例を示す概略斜視図である。
【図２】この発明に係るろう付けハニカムパネルの一例を示す底面図（ａ）及び（ａ）のＩ−Ｉ線に沿う概略断面図（ｂ）である。
【図３】この発明に係るろう付けハニカムパネルの第１実施形態の要部を断面で示す底面図である。
【図４】図３の要部の拡大断面図である。
【図５】第１実施形態におけるＬＥＤ照明ユニットを取り付ける前の状態を示す底面図である。
【図６】第１実施形態におけるＬＥＤ照明ユニットとカバーを取り付ける状態を示す分解断面図である。
【図７】この発明に係るろう付けハニカムパネルの第２実施形態の要部を断面で示す底面図である。
【図８】図７の要部の拡大断面図である。
【図９】第２実施形態におけるＬＥＤ照明ユニットを取り付ける前の状態を示す底面図である。
【図１０】第２実施形態におけるＬＥＤ照明ユニットとカバーを取り付ける状態を示す分解断面図である。
【図１１】第３実施形態におけるＬＥＤ照明ユニットとカバーを示す底面図である。
【図１２】第４実施形態におけるＬＥＤ照明ユニットとカバーを示す底面図である。
【発明を実施するための形態】
【００２５】
以下に、この発明に係るろう付けハニカムパネルの実施形態を添付図面に基づいて詳細に説明する。ここでは、この発明に係るＬＥＤ照明を備えるハニカムパネル（以下にパネルという）を屋外に設置されるバスターミナル等のシェルターの屋根に適用した場合について説明する。
【００２６】
この場合、屋根に適用されるパネルＰは、後述する複数のＬＥＤ照明ユニット２０を備えており、地面Ｇに互いに平行に立設される複数の支柱Ｃの上端から水平に突設される互いに平行な片持梁（図示せず）に吊持されている。
【００２７】
＜第１実施形態＞
第１実施形態のパネルＰは、矩形状のアルミニウム製の一対の面板１ａ，１ｂと、面板１ａ，１ｂ間の周辺に配置されるアルミニウム製の押出形材にて形成される主枠材２と、面板１ａ，１ｂと主枠材２とで形成される空間内の長手方向に配置される互いに平行な２本のアルミニウム製の押出形材にて形成される縦枠材３と、隣接する縦枠材３間に介在され、隣接する両縦枠材３と協働して区画部７を形成する互いに平行なアルミニウム製の横枠材４と、一方の縦枠材３の区画部７側と主枠材との間に配置されるアルミニウム製の押出形材にて形成される補助枠材５と、区画部７を除く面板１ａ，１ｂと主枠材２と縦枠材３、横枠材４及び補助枠材５間の空間内に介在されるアルミニウム製のコア材６と、ＬＥＤ照明ユニット２０を固定するためのアルミニウム製の台座１０と、をろう付けにより一体に形成されている。
【００２８】
この場合、主枠材２、縦枠材３、横枠材４及び補助枠材５は、中空矩形断面の押出形材にて形成されている。また、コア材６は中空筒状のコア単体を集合させて形成されている。
【００２９】
上記区画部７は、隣接する縦枠材３と、両縦枠材３に直交状に連接する２本の横枠材４とで矩形状に形成されている。この場合、区画部７に位置する一方の面板１ａのパネル内側面に例えばドーナツ状の台座１０が溶接されている。また、区画部７に位置する他方の面板１ｂに例えば円形状の貫通孔８が設けられており、この貫通孔８を介してＬＥＤ照明ユニット２０が区画部７内に内蔵されるようになっている。
【００３０】
なお、ＬＥＤ照明ユニット２０は、複数例えば３個のＬＥＤ照明単体２０ａを取付ねじ２１にて固定する円板状の取付板２２を具備しており、この取付板２２の周辺側の同心円上の３箇所に取付孔２３が設けられている。
【００３１】
上記台座１０の同心円上の３箇所には、取付板２２に設けられた取付孔２３Ａと対応するねじ孔１０ａが設けられており、ＬＥＤ照明ユニット２０を台座１０に固定するための固定ねじ２４がねじ結合可能になっている。これにより、ＬＥＤ照明ユニット２０を台座１０に固定するには、まず、取付板２２に設けられた取付孔２３を挿通する取付ねじ２１を用いてＬＥＤ照明ユニット２０と取付板２２を固定し、次に、取付板２２に設けられた取付孔２３Ａを挿通する固定ねじ２４を、台座１０に設けられたねじ孔１０ａにねじ結合することで、ＬＥＤ照明ユニット２０を台座１０に固定することができる。
【００３２】
なお、ＬＥＤ照明ユニット２０を内蔵した後のパネルＰの貫通孔８には、透光部を有するカバー３０が取り付けられる。この場合、カバー３０は、図３に示すように、ＬＥＤ照明ユニット２０の外周に僅かな隙間をおいてＬＥＤ照明ユニット２０の外周を包囲する筒状部３２と、この筒状部３２の一端に設けられた段部３３に配置される円板状の透明板３１（透光部）の周辺部との間にドーナツ状の第１のパッキン３４ａを介して被着されるドーナツ円板状の鍔部３５と、筒状部３２の対向する外側面にそれぞれ一端部が固定され、他端部が対向する横枠材４の側面に弾接する一対の板ばね３６とを具備している。この場合、板ばね３６は、筒状部３２に固定される垂直片３６ａと、この垂直片３６ａの下端から円弧状屈曲部３６ｂを介して上方に傾斜状に延在する下部円弧状傾斜片３６ｃと、下部円弧状傾斜片３６ｃの上端に凹状の屈曲部３６ｄを介して傾斜状に延在する上部直状傾斜片３６ｅと、上部直状傾斜片３６ｅの先端から下方に屈曲する係止片３６ｆとを具備している。このように形成されるカバー３０は、下部円弧状傾斜片３６ｃが面板１ｂのパネル内側面の貫通孔８の周辺部に固定された下地部材９の開口側縁部９ａに係合し、先端の係止片３６ｆが横枠材４の区画部側面に弾接係合して、パネルＰの区画部７に着脱可能に装着される。
【００３３】
なお、鍔部３５の内周辺部には上記第１のパッキン３４ａが接着され、外周辺部にはドーナツ状の第２のパッキン３４ｂが接着されている。第２のパッキン３４ｂは、カバー３０をパネルＰの貫通孔８に装着した際にパネルＰの面板１ｂの貫通孔８の周辺部に密着して、区画部７内への雨水等の浸入を阻止している。
【００３４】
なおこの場合、カバー３０の鍔部３５に立設される取付ブラケット４１に一端が繋着されるカバー落下防止ワイヤ４０の他端に略馬蹄形状の係止片４２を固着し、この係止片４２を、固定ねじ２５によって取付番２２に固定している。このようにカバー落下防止ワイヤ４０を設けることにより、カバー３０は区画部７の貫通孔８から完全に取り外された状態においても落下することがない。
【００３５】
上記のように構成されるパネルＰを作製するには、以下の手順で行うことができる。まず、一方の面板１ａの周辺に４本の主枠材２を配置し、短手方向の主枠材２間に２本の縦枠材３を互いに平行に配置すると共に、区画部７を形成すべく隣接する縦枠材３間に４本の横枠材４を互いに平行に配置し、かつ、一方の縦枠材３の区画部７側と主枠材との間に補助枠材５を配置する。次に、区画部７を除く面板１ａ，１ｂと主枠材２と縦枠材３、横枠材４及び補助枠材５間の空間内に複数のコア材６を配置した後、貫通孔８を設けた他方の面板１ｂをセットして、図示しない固定具によって仮固定する。そして、炉（図示せず）内において所定温度（例えば、約６００℃）に加熱して、一対の面板１ａ，１ｂ、主枠材２、縦枠材３、横枠材４及び補助枠材５を一体ろう付けする。その後、貫通孔８を介して区画部７内に台座１０を配置して溶接する。これにより、パネルＰの作製と同時に区画部７内に台座１０を固定することができる。
【００３６】
上記のようにして形成されたパネルＰにＬＥＤ照明ユニット２０を組み込むには、予め複数例えば３個のＬＥＤ照明単体２０ａを取付ねじ２１にて取付板２２に固定しておく。ＬＥＤ照明ユニット２０をパネルＰの貫通孔８を介して区画部７内に挿入し、固定ねじ２４をＬＥＤ照明ユニット２０の取付板２２に設けられた取付孔２３Ａを介して台座１０に設けられたねじ孔１０ａにねじ結合することで、ＬＥＤ照明ユニット２０を台座１０に固定する。この際、カバー３０に一端が繋着されたカバー落下防止ワイヤ４０の他端の係止片４２が固定ねじ２５によって取付板２２に固定される。なお、台座１０に固定されたＬＥＤ照明ユニット２０に接続されたリード線２５は、補助枠材５の中空部５ａ内に配線されると共に、補助枠材５に連結する主枠材２の中空部２ａ内に配線されて、外部の電源（図示せず）に接続される。
【００３７】
区画部７内にＬＥＤ照明ユニット２０を固定した後、カバー３０の板ばね３６を面板１ｂに設けられた貫通孔８内に挿入し、上述したように、板ばね３６の下部円弧状傾斜片３６ｃを面板１ｂのパネル内側面の貫通孔８の周辺部に固定された下地部材９の開口側縁部９ａに係合し、先端の係止片３６ｆを横枠材４の区画部側面に弾接係合して、カバー３０を区画部７に装着する。カバー３０がパネルＰの装着された状態では、第２のパッキン３４ｂが面板１ｂの外面に密接するので、区画部７内への雨水等の浸入が阻止される。
【００３８】
なお、カバー３０を区画部７から取り外す場合は、カバー３０の鍔部３５と面板１ｂとの当接部間にドライバー等の工具を差し込んでカバー３０を下方に押し下げて、板ばね３６の係止片３６ｆと横枠材４との係合を解いて、カバー３０をパネルＰから取り外す。この場合、一方の板ばね３６を区画部７内の下地部材９に係止させ、カバー３０をパネルＰの区画部７に吊り下げた状態にすることも可能である。また、カバー落下防止ワイヤ４０が設けられているので、カバー３０を区画部７から完全に取り外しても落下することがない。このようにして、カバー３０を区画部７から取り外して、ＬＥＤ照明ユニット２０の交換や点検を行うことができる。
【００３９】
＜第２実施形態＞
図７は、この発明に係るハニカムパネルの第２実施形態の要部を断面で示す底面図、図８は、図７の要部の拡大断面図である。
【００４０】
第２実施形態のパネルＰＡは、第１実施形態の台座１０に代えて、台座１０Ａを枠材例えば横枠材４に固定した場合である。この場合、台座１０Ａは、一方の面板１ａの内側面に当接される水平片１２と、水平片１２の両端から直交状に折曲されて横枠材４に当接される一対の脚片１３とからなる例えばアルミニウム製の押出形材にて形成されるチャンネル状の当接部１１と、当接部１１の水平片１２の内側面の同心円上の等分された３箇所に例えば連結ねじ１５によって接合されるドーナツ状のアルミニウム製の固定部１４からなる。なお、固定部１４には、ＬＥＤ照明ユニット２０を固定するための固定ねじ２４がねじ結合可能なねじ孔１０ａが同心円上の等分された３箇所に設けられている。
【００４１】
このように形成される台座１０Ａは、当接部１１の両脚片１３が固定手段例えば固定ねじ１６によって横枠材４の区画部側面に固定される。
【００４２】
第２実施形態のパネルＰＡは、台座１０Ａを除く部分は、第１実施形態と同様に形成されている。すなわち、パネルＰＡは、矩形状のアルミニウム製の一対の面板１ａ，１ｂと、面板１ａ，１ｂ間の周辺に配置されるアルミニウム製の押出形材にて形成される主枠材２と、面板１ａ，１ｂと主枠材２とで形成される空間内の長手方向に配置される互いに平行な２本のアルミニウム製の押出形材にて形成される縦枠材３と、隣接する縦枠材３間に介在され、隣接する両縦枠材３と協働して区画部７を形成する互いに平行なアルミニウム製の横枠材４と、一方の縦枠材３の区画部７側と主枠材との間に配置されるアルミニウム製の押出形材にて形成される補助枠材５と、区画部７を除く面板１ａ，１ｂと主枠材２と縦枠材３、横枠材４及び補助枠材５間の空間内に介在されるアルミニウム製のコア材６と、をろう付けにより一体に形成されている。
【００４３】
上記のように形成されたパネルＰＡの区画部７内に台座１０Ａを挿入し、台座１０Ａの当接部１１の両脚片１３を固定ねじ１６によって横枠材４の区画部側面に固定する。このように、台座１０Ａの当接部１１を横枠材４に固定することにより、台座１０Ａを面板１ａに直接固定することがないので、面板１ａひいてはパネルＰＡの変形を抑制することができると共に、ＬＥＤ照明ユニット２０の固定を容易かつ強固にすることができる。
【００４４】
ＬＥＤ照明ユニット２０を区画部７内に組み込むには、第１実施形態と同様に行う。すなわち、ＬＥＤ照明ユニット２０をパネルＰＡの貫通孔８を介して区画部７内に挿入し、固定ねじ２４をＬＥＤ照明ユニット２０の取付板２２に設けられた取付孔２３Ａを介して台座１０Ａの固定部１４に設けられたねじ孔１０ａにねじ結合することで、ＬＥＤ照明ユニット２０を台座１０Ａに固定する。
【００４５】
なお、第２実施形態において、その他の部分は第１実施形態と同じであるので、同一部分には同一符号を付して説明は省略する。
【００４６】
＜第３実施形態＞
上記第１，第２実施形態では、ＬＥＤ照明ユニット２０が３個のＬＥＤ照明単体２０ａを具備する場合について説明したが、ＬＥＤ照明単体２０ａの数を任意の数、例えば図１１に示すように、６個のＬＥＤ照明単体２０ａによってＬＥＤ照明ユニット２０Ａを形成してのよい。このように、ＬＥＤ照明単体２０ａの数を増やすことにより、照射光量を増やすことができる。また、ＬＥＤ照明単体２０ａの数を任意の数にすることによって目的に応じた照射光量のものを選択してパネルＰ，ＰＡに組み込むことができる。また、一枚のパネルＰ，ＰＡに設けられた複数の区画部７毎に照射光量の異なる複数のＬＥＤ照明ユニット２０，２０Ａ等を取り付けることも可能である。
【００４７】
なお、第３実施形態において、その他の部分は第１，第２実施形態と同じであるので、説明は省略する。
【００４８】
＜第４実施形態＞
上記第１〜第３実施形態では、ＬＥＤ照明ユニット２０，２０Ａが円形の場合について説明したが、ＬＥＤ照明ユニットの形状は円形以外のものであってもよい。例えば、図１２に示すように、矩形状のＬＥＤ照明ユニット２０ＢをパネルＰ，ＰＡに組み込むようにしてもよい。この場合、パネルＰ，ＰＡに形成された区画部７に位置する面板１ｂに設けられた矩形状の貫通孔（図示せず）を介してＬＥＤ照明ユニット２０ＢをパネルＰ，ＰＡに組み込むことができる。なお、図１２ではＬＥＤ照明ユニット２０Ｂは４個のＬＥＤ照明単体２０ａを具備しているが、ＬＥＤ照明単体２０ａの数は任意に設定することができ、また、ＬＥＤ照明ユニット２０Ｂを正方形以外の長方形にすることにより、更にＬＥＤ照明単体２０ａの数を増やすようにしてもよい。
【００４９】
なお、第４実施形態において、その他の部分は第１，第２実施形態と同じであるので、説明は省略する。
【００５０】
上記第１〜第４実施形態によれば、面板１ａ，１ｂと枠材２，３，４，５及びコア材６をろう付けにより一体に形成するので、面板１ａ，１ｂの溶接や曲げが可能となるため、パネルＰ，ＰＡの大きさや形状に自由度を持たせることができる。
【００５１】
＜その他の実施形態＞
第１実施形態では、縦枠材３と横枠材４によって区画部７を形成する場合について説明したが、縦枠材３と横枠材４を用いずに区画部７を形成することも可能である。この場合、カバー３０の板ばね３６の係止片３６ｆを区画部７の内面側のコア材６に弾接係合して、カバー３０をパネルＰに装着することができる。
【００５２】
また、第１実施形態では、台座１０が面板１ａに内側面に溶接により接合される場合について説明したが、溶接に代えて接着やろう付け等の接合手段によって接合してもよい。
【００５３】
上記第２実施形態では、台座１０Ａの当接部１１と固定部１４を連結ねじ１５によって接合する場合について説明したが、台座１０Ａの当接部１１と固定部１４をろう付けによって接合してもよい。
【００５４】
また、第２実施形態では、台座１０Ａの当接部１１の脚片１３と横枠材４とを固定する固定手段が固定ねじ１６である場合について説明したが、固定ねじ１６に代えて当接部１１の脚片１３と横枠材４とをろう付け、溶接等によって行うようにしてもよい。特に、当接部１１と固定部１４をろう付けにより接合すると共に、当接部１１と横枠材４とをろう付けによって固定することにより、パネルＰＡの作製と同時に、区画部７内に台座１０Ａをろう付けにより一体に形成することができる。
【００５５】
上記実施形態では、面板１ａ，１ｂと枠材２，３，４，５及びコア材６をろう付けによって固定する場合について説明したが、ろう付けに代えて面板１ａ，１ｂと枠材２，３，４，５及びコア材６を接着剤例えば熱硬化性のシリコン系接着剤を用いて固定するようにしてもよい。
【００５６】
面板１ａ，１ｂと枠材２，３，４，５及びコア材６を接着剤を用いて固定することにより、面板１ａ，１ｂの平滑性が維持できるので、外観の優れたＬＥＤ照明を備えたパネルを提供することができる。また、第２実施形態のＬＥＤ照明を備えたパネルによれば、台座１０Ａと面板１ａが直接接合されることはないので、台座１０Ａによる面板１ａの変形を防ぎ、外観を良好に保つことができる。
【００５７】
また、上記実施形態では、面板１ｂに設けられる貫通孔８が円形や矩形状に形成される場合について説明したが、貫通孔の形状はこれに限定されるものではなく、意匠上の美観を考慮して五角形以上の多角形や星形状に形成してもよい。この場合、ＬＥＤ照明ユニットの形状まで貫通孔の形状に合わせる必要はない。
【符号の説明】
【００５８】
Ｐ，ＰＡ  パネル
１ａ，１ｂ  面板
２  主枠材
３  縦枠材
４  横枠材
５  補助枠材
６  コア材
７  区画部
８  貫通孔
１０，１０Ａ  台座
１１  当接部
１４  固定部
１６  固定ねじ（固定手段）
２０，２０Ａ，２０Ｂ  ＬＥＤ照明ユニット
【図１】
2011171266.tif 000003
【図２】
2011171266.tif 000004
【図３】
2011171266.tif 000005
【図４】
2011171266.tif 000006
【図５】
2011171266.tif 000007
【図６】
2011171266.tif 000008
【図７】
2011171266.tif 000009
【図８】
2011171266.tif 000010
【図９】
2011171266.tif 000011
【図１０】
2011171266.tif 000012
【図１１】
2011171266.tif 000013
【図１２】
2011171266.tif 000014